(57)【要約】【課題】必要な相手に自己の現状あるいは近い将来の予定を含めた形で、迅速に電話や電子メールに対する返答を行うことを可能にする通信装置、通信方法および通信プログラムを得ること。【解決手段】通信装置１０には受信者が他人と関係する予定を表わした予定情報をそれぞれ記録した予定情報記録手段１４が備えられている。予定情報抽出手段１６は、通信情報が受信されると発信者の宛先情報を検索すると共に予定情報記録手段１４からその発信者に関係する情報を抽出して発信者に返信する。したがって、発信者の求める情報を受信者に負担を掛けずに返答可能である。【選択図】図１
2013165450.tif 000002
【特許請求の範囲】
【請求項１】
発信者から受信者宛の通信情報を受信する受信手段と、
この受信手段の受信した前記通信情報から発信者を特定する発信者特定手段と、
前記発信者ごとにそれらの宛先を表わす宛先情報を格納する発信者宛先情報格納手段と、
前記受信者が他人と関係する予定を表わした予定情報をそれぞれ記録した予定情報記録手段と、
前記発信者特定手段の特定した発信者が前記予定情報記録手段に記載されている他人のいずれかと一致するかを判別する発信者一致有無判別手段と、
この発信者一致有無判別手段が他人のいずれかと一致したと判別したときその一致した他人に関係する予定情報を抽出する予定情報抽出手段と、
前記一致した他人としての発信者についての宛先情報を前記発信者宛先情報格納手段で検索する発信者宛先情報検索手段と、
この発信者宛先情報検索手段で検索した宛先情報を用いて前記予定情報抽出手段で抽出した予定情報を前記一致した他人としての発信者に返答する予定情報送信手段
とを具備することを特徴とする通信装置。
【請求項２】
前記予定情報記録手段は予定情報に対応するキーワードとしての認識ワードを予定情報ごとに定めており、前記受信手段の受信した前記通信情報から前記認識ワードのいずれかを抽出したときのみ前記予定情報抽出手段は該当する予定情報を抽出することを特徴とする請求項１記載の通信装置。
【請求項３】
前記発信者から受信者宛の通信情報は電話による音声情報であり、この音声情報をテキスト情報に変換する音声認識手段を更に具備することを特徴とする請求項１記載の通信装置。
【請求項４】
前記発信者から受信者宛の通信情報はテキスト情報であることを特徴とする請求項１記載の通信装置。
【請求項５】
前記宛先情報は発信者のメールアドレスであり、前記予定情報送信手段は前記予定抽出手段で抽出した予定情報を電子メールで発信者に返答することを特徴とする請求項３または請求項４記載の通信装置。
【請求項６】
前記宛先情報は発信者の電話番号であり、前記予定情報送信手段は前記予定抽出手段で抽出した予定情報を音声メッセージで発信者に返答することを特徴とする請求項３記載の通信装置。
【請求項７】
前記予定情報送信手段は、前記予定抽出手段で抽出した予定情報を本来送信する本文情報に追加する追加情報として送信することを特徴とする請求項１記載の通信装置。
【請求項８】
前記受信手段が通信情報を受信する可能性のある発信者を複数のグループのいずれかに分類して登録するグループ化登録手段と、
前記本文情報を構成する文章を前記グループごとに予め用意したグループ別文章格納手段と、
前記受信手段の受信した発信者が前記グループ化登録手段の登録したいずれのグループに該当するかを判別するグループ判別手段と、
このグループ判別手段で判別したグループの文章を前記グループ別文章格納手段から選択して前記本文情報を構成する本文情報構成手段
とを具備することを特徴とする請求項７記載の通信装置。
【請求項９】
発信者から受信者宛の通信情報を受信する受信ステップと、
この受信ステップで受信した前記通信情報から発信者を特定する発信者特定ステップと、
前記受信者が他人と関係する予定を表わした予定情報をそれぞれ記録した予定情報記録部を使用して前記発信者特定ステップで特定した発信者が前記他人のいずれかと一致するかを判別する発信者一致有無判別ステップと、
この発信者一致有無判別ステップで前記他人のいずれかと一致したと判別したときその一致した他人に関係する予定情報を抽出する予定情報抽出ステップと、
前記発信者ごとにそれらの宛先を表わす宛先情報を格納する発信者宛先情報格納部を使用して、前記一致した他人としての発信者についての前記宛先情報を検索する発信者宛先情報検索ステップと、
この発信者宛先情報検索ステップで検索した前記宛先情報を用いて前記予定情報抽出ステップで抽出した予定情報を前記一致した他人としての発信者に返答する予定情報送信ステップ
とを具備することを特徴とする通信方法。
【請求項１０】
コンピュータに、
発信者から受信者宛の通信情報を受信する受信処理と、
この受信処理で受信した前記通信情報から発信者を特定する発信者特定処理と、
前記受信者が他人と関係する予定を表わした予定情報をそれぞれ記録した予定情報記録部を使用して前記発信者特定処理で特定した発信者が前記他人のいずれかと一致するかを判別する発信者一致有無判別処理と、
この発信者一致有無判別処理で前記他人のいずれかと一致したと判別したときその一致した他人に関係する予定情報を抽出する予定情報抽出処理と、
前記発信者ごとにそれらの宛先を表わす宛先情報を格納する発信者宛先情報格納部を使用して、前記一致した他人としての発信者についての前記宛先情報を検索する発信者宛先情報検索処理と、
この発信者宛先情報検索処理で検索した前記宛先情報を用いて前記予定情報抽出処理で抽出した予定情報を前記一致した他人としての発信者に返答する予定情報送信処理
とを実行させることを特徴とする通信プログラム。
【発明の詳細な説明】
【技術分野】
【０００１】
本発明は、電話が掛かってきたときや電子メールが送られてきたときに、簡単にこれに返答するようにした通信装置、通信方法および通信プログラムに関する。本発明は、電話の応答や電子メールに対する返答に十分な時間が割けない場合での返答をも可能にする移動機端末等の通信装置、通信方法および通信プログラムに関するものである。
【背景技術】
【０００２】
本明細書で電子メールとは、コンピュータや携帯電話機で使用する各種の電子的なメールを総称するものとする。たとえばショートメッセージサービスも本明細書における電子メールに含まれる。
【０００３】
電話が掛かってきたり電子メールを受信したときに、電話やメール文による返答に時間を十分割けない場合がある。重要な会議や急ぎの仕事の最中であったり、公共交通機関で移動中の場合のように、このような事態に遭遇する機会は意外に多い。また、わずかな時間をとることができても、携帯電話機等の移動機端末を用いて電子メールで返信しようとすると、メール作成機能を新たに起動して、発信者のメールアドレス情報を入力し、本文を入力する必要があり、手間が掛かるという問題がある。
【０００４】
そこで、本発明の関連技術として、電話装置の使用者が簡単な操作で発信相手にメールで返答する提案が行われている（たとえば特許文献１参照）。この関連技術では、予め発信者番号ごとにメール電文の自動返送を行うか否かを設定しておく。自動返送ありに設定された番号からの着信である場合、発信者番号ごとに設定したメールアドレスを、所定の記憶部から読み出す。そして、機能ボタンを用いて、予め用意した電文の中から返送に使用するものを選択する。このとき、発信者番号と電文グループの関係を予め設定しておくことにより、同じ機能ボタンでメール電文自動返送モードに設定された場合であっても、グループごとに違う電文を送信することができる。
【０００５】
図２２は、この関連技術における電文番号と、電文グループごとの電文の一例を示している。また、図２３は、この関連技術における機能ボタンと電文番号の関係を示している。電文番号を機能ボタン「ａ」、「ｂ」、「ｃ」のいずれかによって選択することで、発信相手に伝達する文章の内容を変えることができる。また、発信者番号によって電文グループを自動的に特定することで、文章の表現を変えることができる。
【０００６】
図２２に示したメール本文における「％」の記号の箇所には、電話装置の使用者が電話を受けた場合の発信相手に電話を掛け直すまでの時間が入力される。この時間は、電話装置の使用者が予め設定しておく。電話装置の使用者が電話を掛け直すまでの時間として「２」（時間）を設定している場合の応答の一例を説明する。
【０００７】
電話が掛かってくると、その発信者番号がメール電文の自動返送を行うものと設定されている場合、電話装置の使用者は現在の状況に応じて機能ボタン「ａ」、「ｂ」、「ｃ」のいずれかを押す。たとえは機能ボタン「ｂ」を押したとすると、電文番号「１」が指定される。電話装置は発信者の電話番号から第２の電文グループに対応するものと判断したとすると、「今、会議中。２時間後に電話します。」という本文の電子メールを発信者のメールアドレスに送信することになる。
【０００８】
この例の場合、電話装置の受信した電話番号から発信者が第３の電文グループに対応すると判断した場合には、「ただいま電話に出られません。申し訳ありませんが２時間後に折り返し電話致します。」という本文の電子メールを発信者のメールアドレスに送信することになる。このメール本文は、第２の電文グループよりも表現は丁寧ではあるが「会議中」という断りの理由が抜けている。
【先行技術文献】
【特許文献】
【０００９】
【特許文献１】特開２００８−２５８９９９号公報（第００２９段落〜第００３３段落、図５、６）
【発明の概要】
【発明が解決しようとする課題】
【００１０】
この関連技術で電話装置の使用者は、予め用意された数種類の電文のうちの１つを選択して、発信者の電話番号に応じた表現内容のメール本文とし、電子メールを送信することができる。しかしながら、電話に出ることのできない理由は、第２グループの発信者番号の場合にしか示されず、それも「会議中」であるという１種類の理由しか選択することができない。
【００１１】
図２２に示す例の場合、「会議中」であるという１種類の理由に対する３種類の対処方法を３種類の電文番号に割り当てているので、理由を２種類に増やすと６種類の電文番号が必要になる。一般に電話に応答できない理由は電話装置の使用者の状況に応じて更に多いはずであるが、これらのそれぞれに対応するようにすると電文の種類が多くなりすぎて使用者が操作上のミスを発生させる可能性が高くなる。
【００１２】
このため、この関連技術で「会議中」という電話に出ることのできない理由は、電話装置の使用者の現在の状態を表わしているというよりも対外的な理由でしかない場合が多いと考えられる。また、「％」の記号で示した箇所には電話装置の使用者が予め設定した所望の時間を入力するようになっている。しかしながら、電話装置の使用者が多忙なときはこの時間設定をこまめに変更することができない。したがって、この時間設定も電話に出ることのできない理由と共に非常に信頼性の低い情報になる可能性が高い。
【００１３】
そこで本発明の目的は、必要な相手に自己の現状あるいは近い将来の予定を含めた形で、迅速に電話や電子メールに対する返答を行うことを可能にする通信装置、通信方法および通信プログラムを提供することにある。
【課題を解決するための手段】
【００１４】
本発明では、（イ）発信者から受信者宛の通信情報を受信する受信手段と、（ロ）この受信手段の受信した前記した通信情報から発信者を特定する発信者特定手段と、（ハ）前記した発信者ごとにそれらの宛先を表わす宛先情報を格納する発信者宛先情報格納手段と、（ニ）前記した受信者が他人と関係する予定を表わした予定情報をそれぞれ記録した予定情報記録手段と、（ホ）前記した発信者特定手段の特定した発信者が前記した予定情報記録手段に記載されている他人のいずれかと一致するかを判別する発信者一致有無判別手段と、（へ）この発信者一致有無判別手段が他人のいずれかと一致したと判別したときその一致した他人に関係する予定情報を抽出する予定情報抽出手段と、（ト）前記した一致した他人としての発信者についての宛先情報を前記した発信者宛先情報格納手段で検索する発信者宛先情報検索手段と、（チ）この発信者宛先情報検索手段で検索した宛先情報を用いて前記した予定情報抽出手段で抽出した予定情報を前記した一致した他人としての発信者に返答する予定情報送信手段とを通信装置が具備する。
【００１５】
また、本発明では、（イ）発信者から受信者宛の通信情報を受信する受信ステップと、（ロ）この受信ステップで受信した前記した通信情報から発信者を特定する発信者特定ステップと、（ハ）前記した受信者が他人と関係する予定を表わした予定情報をそれぞれ記録した予定情報記録部を使用して前記した発信者特定ステップで特定した発信者が前記した他人のいずれかと一致するかを判別する発信者一致有無判別ステップと、（ニ）この発信者一致有無判別ステップが前記した他人のいずれかと一致したと判別したときその一致した他人に関係する予定情報を抽出する予定情報抽出ステップと、（ホ）前記した発信者ごとにそれらの宛先を表わす宛先情報を格納する発信者宛先情報格納部を使用して、前記した一致した他人としての発信者についての前記した宛先情報を検索する発信者宛先情報検索ステップと、（へ）この発信者宛先情報検索ステップで検索した前記した宛先情報を用いて前記した予定情報抽出ステップで抽出した予定情報を前記した一致した他人としての発信者に返答する予定情報送信ステップとを通信方法が具備する。
【００１６】
更に本発明では、コンピュータに、通信プログラムとして、（イ）発信者から受信者宛の通信情報を受信する受信処理と、（ロ）この受信処理で受信した前記した通信情報から発信者を特定する発信者特定処理と、（ハ）前記した受信者が他人と関係する予定を表わした予定情報をそれぞれ記録した予定情報記録部を使用して前記した発信者特定処理で特定した発信者が前記した他人のいずれかと一致するかを判別する発信者一致有無判別処理と、（ニ）この発信者一致有無判別処理が前記した他人のいずれかと一致したと判別したときその一致した他人に関係する予定情報を抽出する予定情報抽出処理と、（ホ）前記した発信者ごとにそれらの宛先を表わす宛先情報を格納する発信者宛先情報格納部を使用して、前記した一致した他人としての発信者についての前記した宛先情報を検索する発信者宛先情報検索処理と、（へ）この発信者宛先情報検索処理で検索した前記した宛先情報を用いて前記した予定情報抽出処理で抽出した予定情報を前記した一致した他人としての発信者に返答する予定情報送信処理とを実行させる。
【発明の効果】
【００１７】
以上説明したように本発明によれば、通信装置はその受信者の予定情報の中から発信者に関係するものを抽出して発信者の宛先に返答するようにしている。したがって、受信者としての通信装置の使用者が特に複雑な操作をすることなく、発信者に対して必要な情報を提供することができる。しかも、受信者の予定情報の中で発信者と関係ないものは返答の対象としないので、受信者のプライバシを守ることができる。
【図面の簡単な説明】
【００１８】
【図１】本発明の通信装置のクレーム対応図である。
【図２】本発明の通信方法のクレーム対応図である。
【図３】本発明の通信プログラムのクレーム対応図である。
【図４】本発明の実施の形態による移動機端末の構成の要部を表わしたブロック図である。
【図５】本実施の形態で定型文データ格納部における「ビジネス」用の定型文データを格納した部分を示した説明図である。
【図６】本実施の形態で定型文データ格納部における「プライベート」用の定型文データを格納した部分を示した説明図である。
【図７】本実施の形態で定型文データ格納部における「その他」用の定型文データを格納した部分を示した説明図である。
【図８】本実施の形態における電話帳データ格納部に格納される電話帳データの例を４組示した説明図である。
【図９】図４に示した発信者電話番号データ格納部の構成を示した説明図である。
【図１０】本実施の形態におけるＴｏＤｏリストデータ格納部の構成の一例を示した説明図である。
【図１１】本実施の形態における追加ＴｏＤｏリストテンプレートデータ格納部の格納内容の一例を示した説明図である。
【図１２】本実施の形態における留守番電話データ格納部の格納内容の一例を示した説明図である。
【図１３】本実施の形態におけるＴｏＤｏリスト情報フラグデータ格納部の格納するフラグとその状態の一例を示した説明図である。
【図１４】本実施の形態におけるメール情報一時格納部の格納内容の一例を示した説明図である。
【図１５】本実施の形態の移動機端末に着信があった場合の制御の様子を表わした流れ図である。
【図１６】図１５で説明したメール作成送信処理の概要を表わした流れ図である。
【図１７】図１６で示したＴｏＤｏリストデータ取得処理を具体的に表わした流れ図である。
【図１８】図１６で示した定型文選択処理を具体的に表わした流れ図である。
【図１９】図１６で示したメール文章作成処理を具体的に表わした流れ図である。
【図２０】送信される電子メールが組み立てられる様子を表わした説明図である。
【図２１】図２０に示した処理によって作成された電子メールの返答文を示した図である。
【図２２】本発明の関連技術における電文番号と、電文グループごとの電文の一例を示した説明図である。
【図２３】この関連技術における機能ボタンと電文番号の関係を示した説明図である。
【発明を実施するための形態】
【００１９】
図１は、本発明の通信装置のクレーム対応図を示したものである。本発明の通信装置１０は、受信手段１１と、発信者特定手段１２と、発信者宛先情報格納手段１３と、予定情報記録手段１４と、発信者一致有無判別手段１５と、予定情報抽出手段１６と、発信者宛先情報検索手段１７と、予定情報送信手段１８を備えている。ここで、受信手段１１は、発信者から受信者宛の通信情報を受信する。発信者特定手段１２は、受信手段１１の受信した前記した通信情報から発信者を特定する。発信者宛先情報格納手段１３は、前記した発信者ごとにそれらの宛先を表わす宛先情報を格納する。予定情報記録手段１４は、前記した受信者が他人と関係する予定を表わした予定情報をそれぞれ記録したものである。発信者一致有無判別手段１５は、発信者特定手段１２の特定した発信者が予定情報記録手段１４に記載されている他人のいずれかと一致するかを判別する。予定情報抽出手段１６は、発信者一致有無判別手段１５が他人のいずれかと一致したと判別したときその一致した他人に関係する予定情報を抽出する。発信者宛先情報検索手段１７は、前記した一致した他人としての発信者についての宛先情報を発信者宛先情報格納手段１３で検索する。予定情報送信手段１８は、発信者宛先情報検索手段１７で検索した宛先情報を用いて予定情報抽出手段１６で抽出した予定情報を前記した一致した他人としての発信者に返答する。
【００２０】
図２は、本発明の通信方法のクレーム対応図を示したものである。本発明の通信方法２０は、受信ステップ２１と、発信者特定ステップ２２と、発信者一致有無判別ステップ２３と、予定情報抽出ステップ２４と、発信者宛先情報検索ステップ２５と、予定情報送信ステップ２６を備えている。ここで、受信ステップ２１では、発信者から受信者宛の通信情報を受信する。発信者特定ステップ２２では、受信ステップ２１で受信した前記した通信情報から発信者を特定する。発信者一致有無判別ステップ２３では、前記した受信者が他人と関係する予定を表わした予定情報をそれぞれ記録した予定情報記録部を使用して発信者特定ステップ２２で特定した発信者が前記した他人のいずれかと一致するかを判別する。予定情報抽出ステップ２４では、発信者一致有無判別ステップ２３で前記した他人のいずれかと一致したと判別したときその一致した他人に関係する予定情報を抽出する。発信者宛先情報検索ステップ２５では、前記した発信者ごとにそれらの宛先を表わす宛先情報を格納する発信者宛先情報格納部を使用して、前記した一致した他人としての発信者についての前記した宛先情報を検索する。予定情報送信ステップ２６では、発信者宛先情報検索ステップ２５で検索した前記した宛先情報を用いて予定情報抽出ステップ２４で抽出した予定情報を前記した一致した他人としての発信者に返答する。
【００２１】
図３は、本発明の通信プログラムのクレーム対応図を示したものである。本発明の通信プログラム３０は、コンピュータに受信処理３１と、発信者特定処理３２と、発信者一致有無判別処理３３と、予定情報抽出処理３４と、発信者宛先情報検索処理３５と、予定情報送信処理３６を実行させるようにしている。ここで、受信処理３１では、発信者から受信者宛の通信情報を受信する。発信者特定処理３２では、受信処理３１で受信した前記した通信情報から発信者を特定する。発信者一致有無判別処理３３では、前記した受信者が他人と関係する予定を表わした予定情報をそれぞれ記録した予定情報記録部を使用して前記した発信者特定処理で特定した発信者が前記した他人のいずれかと一致するかを判別する。予定情報抽出処理３４では、発信者一致有無判別処理３３で前記した他人のいずれかと一致したと判別したときその一致した他人に関係する予定情報を抽出する。発信者宛先情報検索処理３５では、前記した発信者ごとにそれらの宛先を表わす宛先情報を格納する発信者宛先情報格納部を使用して、前記した一致した他人としての発信者についての前記した宛先情報を検索する。予定情報送信処理３６では、発信者宛先情報検索処理３５で検索した前記した宛先情報を用いて予定情報抽出処理３４で抽出した予定情報を前記した一致した他人としての発信者に返答する。
【００２２】
＜発明の実施の形態＞
【００２３】
次に本発明の実施の形態を説明する。
【００２４】
図４は、本発明の実施の形態による移動機端末の構成の要部を表わしたものである。本実施の形態の移動機端末１００は、各部を制御する制御部１０１を備えている。制御部１０１は、ＣＰＵ（Central Processing Unit）１０２およびメモリ１０３を内蔵している。ＣＰＵ１０２は、メモリ１０３の不揮発性メモリ領域に格納された制御プログラムを実行することで各種の制御を行うようになっている。
【００２５】
制御部１０１は、データバス等の通信手段を介して移動機端末１００内の各部と接続されている。このうち無線部１０５は、アンテナ１０６を接続しており、図示しない無線基地局を介して同じく図示しない他の移動機端末等の通信装置と接続するようになっている。キー入力部１０７は、この移動機端末１００の図示しない操作パネルに備えられた各種キーの操作情報を入力する。この中には、自動応答メール開始のために割り当てられたキーや、メール本文の入力のために使用される文字や記号に対応したキーが存在している。
【００２６】
音声認識部１０８は、無線部１０５を介して入力された通信相手の音声を認識する。本実施の形態では、発信者が残した留守番電話の音声の認識に用いられる。表示部１０９は、この移動機端末１００の図示しない液晶ディスプレイあるいは有機ＥＬディスプレイ（organic electroluminescence display）ディスプレイとその駆動回路から構成されており、文字等の視覚的データを表示する。
【００２７】
データ格納部１１０は、主に不揮発性メモリによって構成されており、各種のデータを格納する部分（領域）により構成されている。このうち定型文データ格納部１１１は、メールを作成する際に使用する各種の定型文を格納している。電話帳データ格納部１１２は、移動機端末１００の電話帳機能として登録される電話番号、メールアドレス、名前、メールに記載する文体を選択するためのグループ情報が宛先ごとに格納される。発信者電話番号データ格納部１１３は、発信者の電話番号を格納する。トゥドゥ−リスト（to do list）（以下、ＴｏＤｏリストという。）データ格納部１１４は、移動機端末１００のユーザが現在するべきことをリストとして示したデータを格納している。追加ＴｏＤｏリストテンプレートデータ格納部１１５は、ＴｏＤｏリストの内容をメール本文へ書き込む際に使用する文章に変換するとき使用するテンプレートを格納する。留守番電話データ格納部１１６は、留守番電話の音声データを音声認識部１０８で認識した結果としてのデータを格納する。ＴｏＤｏリスト情報フラグデータ格納部１１７は、メール本文作成時に、追記するＴｏＤｏリスト情報の有無の確認のためのフラグを格納する。メール情報一時格納部１１８は、メール送信先のメールアドレスもしくは電話番号等の所定の情報をメールに書き込むための一時保存データを格納する。このようなデータとしては、メールアドレス、電話番号の他に、メール本文の情報やメール本文に追加するＴｏＤｏリストの情報を挙げることができる。
【００２８】
図５〜図７は、データ格納部における定型文データ格納部の格納内容の一例を示したものである。本実施の形態では、図４に示す定型文データ格納部１１１に格納する定型文データを、グループ情報として「ビジネス」用、「プライベート」用および「その他」用のグループに区分けしている。
【００２９】
図５は、定型文データ格納部における「ビジネス」用の定型文データを格納した部分を示したものである。定型文データ格納部１１１における「ビジネス」用の定型文データを格納した部分１１１Ａでは、「グループ情報」の欄１３１がビジネス１３２に設定されている。一方、図６に示す定型文データ格納部１１１における「プライベート」用の定型文データを格納した部分１１１Ｂでは、「グループ情報」の欄１３１がプライベート１３３に設定されている。また、図７に示す定型文データ格納部１１１における「その他」用のグループ用の定型文データを格納した部分１１１Ｃでは、「グループ情報」の欄１３１がその他１３４に設定されている。
【００３０】
図５〜図７に共通して、「グループ情報」の欄１３１の他に、「応答パターン登録キー」の欄１３５、「応答パターン用事前用意文」の欄１３６、「［＊］選択用登録キー」の欄１３７、「［＊１］用選択文」の欄１３８および「［＊２］用選択文」の欄１４０の欄が設けられている。「［＊３］設定有無」の欄１３９は、図５に示す「ビジネス」用の定型文データのみに設けられている。
【００３１】
ここで「応答パターン登録キー」の欄１３５には、応答パターン用事前用意文を選択する際に押下するキーが設定される。本実施の形態では、「＊」、「＃」および「０」の３種類のキーが設定されている。登録されたこれら３種類のキーのいずれか１つを選択することで、「応答パターン用事前用意文」の欄１３６に用意された３種類の事前用意文の１つが選択されることになる。
【００３２】
たとえばユーザが「＊」キーを押した場合、図５および図６に示す「ビジネス」用あるいは「プライベート」用の場合には、［＊１］で示されるユーザ自身の現在の状況と、［＊２］で示されるユーザの今後採る対応についての文章を合成したメール本文が返答用として作成される。このうち、「ビジネス」用の場合には、図５にも示したようにユーザ自身の名前や文頭の挨拶の文章を含めた「ビジネス」用の文章が作成される。「プライベート」用の場合には、図６にも示したようにユーザ自身の名前や文頭の挨拶の文章は省略される。
【００３３】
ユーザが「＊」キーを押した場合であって、図７で示す「その他」用の場合には、［＊１］で示されるユーザ自身の現在の状況と、［＊２］で示されるユーザの今後採る対応をメール本文に含めていない最もシンプルな返答用の文章が作成される。本実施の形態で示す例では、業務中で対応できない旨と、後で再度の連絡を願うとする文章の内容となっている。
【００３４】
ここで「［＊］選択用登録キー」の欄１３７では、「［＊１］用選択文」の欄１３８および「［＊２］用選択文」の欄１４０でそれぞれ選択する３種類ずつの選択文のための登録キーが設定されている。本実施の形態では、「上キー」、「右キー」および「左キー」が、登録キーとして設定されている。「［＊］選択用登録キー」は、ユーザが２回押すようになっており、１回目に押した登録キーで「［＊１］用選択文」の欄１３８に示す選択文が選択される。また、２回目に押した登録キーで「［＊２］用選択文」の欄１４０に示す選択文が選択される。
【００３５】
図５に示す「ビジネス」用の場合の一例を示す。ユーザが「応答パターン登録キー」の欄１３５の「＊」キーを押したとすると、「応答パターン用事前用意文」の欄１３６における、これに対応する次の文章が選択される。
【００３６】
「電気太郎です。
平素よりお世話になっております。
只今［＊１］。
［＊２］。
以上、宜しくお願いいたします。」
【００３７】
ユーザが続いて「［＊］選択用登録キー」の欄１３７から１回目のキーとして「上キー」を選択したとすると、「［＊１］用選択文」の欄１３８からこれに対応する「外出しており、電話に応答することができません」という文章が選択される。次に「［＊］選択用登録キー」の欄１３７から２回目のキーとして「右キー」を選択したとすると、「［＊２］用選択文」の欄１３８からこれに対応する「退社予定時刻は１８：００となっております」という文章が選択される。この結果、以下の文章がメール本文として組み立てられることになる。
【００３８】
「電気太郎です。
平素よりお世話になっております。
只今外出しており、電話に応答することができません。
退社予定時刻は１８：００となっております。
以上、宜しくお願いいたします。」
【００３９】
続いて図６に示す「プライベート」用の場合の一例を示す。ユーザが「応答パターン登録キー」の欄１３５の「＊」キーを押したとすると、「応答パターン用事前用意文」の欄１３６における、これに対応する次の文章が選択される。
【００４０】
「今［＊１］。
［＊２］。」
【００４１】
ユーザが続いて「［＊］選択用登録キー」の欄１３７から１回目のキーとして「上キー」を選択したとすると、「［＊１］用選択文」の欄１３８からこれに対応する「外出中だから電話に出れない」という文章が選択される。次に「［＊］選択用登録キー」の欄１３７から２回目のキーとして「右キー」を選択したとすると、「［＊２］用選択文」の欄１３８からこれに対応する「あとでまたかけなおす」という文章が選択される。この結果、以下の文章がメール本文として組み立てられることになる。
【００４２】
「今外出中だから電話に出れない。
あとでまたかけなおす。」
【００４３】
続いて、図７に示す、「その他」の場合について説明する。この場合には、簡略なメール本文しか作成されないため、「応答パターン登録キー」の欄１３５から「＊」、「＃」および「０」の３種類のキーのいずれを選択しても、同一の内容の文章が選択される。「［＊１］用選択文」の欄１３８および「［＊２］用選択文」の欄１４０を用いた文章の補充も行われない。この結果、以下の文章がメール本文として組み立てられることになる。
【００４４】
「現在業務中のため再度ご連絡願います。」
【００４５】
以上、図４に示したデータ格納部１１０における定型文データ格納部１１１に格納される定型文を中心にメール本文の作成される様子を説明した。続いて、データ格納部１１０におけるその他の格納部の説明を行う。まず、電話帳データ格納部１１２について説明する。
【００４６】
図８は、電話帳データ格納部に格納される電話帳データの例を４組示したものである。電話帳データ格納部１１２には、第１の登録アドレス情報１５１1から第Ｍの登録アドレス情報１５１MまでのＭ個のアドレス情報がユーザによって登録されている。それぞれの登録アドレス情報１５１は、電話番号１５２、メールアドレス１５３、名前１５４およびグループ情報１５５の各データによって構成されている。
【００４７】
ユーザは電話帳データ格納部１１２に電話や電子メールによる通信相手を登録するとき、これらの者が「ビジネス」の相手である場合にはグループ情報１５５を「ビジネス」に設定する。また、「プライベート」の相手である場合には、これらの者を「プライベート」に設定する。両者のいずれでもない場合にはグループ情報１５５の指定は行わない。
【００４８】
図５〜図７で説明した定型文データ格納部１１１における「グループ情報」の欄１３１は、このグループ情報１５５のデータを反映させたものとなる。すなわち、グループ情報１５５が「ビジネス」に設定されて登録された場合、図５に示すように「グループ情報」の欄１３１がビジネス１３２となる。また、グループ情報１５５が「プライベート」に設定されて登録された場合、図６に示すように「グループ情報」の欄１３１がプライベート１３３となる。以上と異なりグループ情報１５５が特に設定されずに登録された（図８で「−」）場合には、「グループ情報」の欄１３１がその他１３４となる。
【００４９】
次に、図９を用いて、図４に示した発信者電話番号データ格納部を説明する。発信者電話番号データ格納部１１３は、移動機端末１００に電話を掛けた発信者の電話番号１６１を格納する。
【００５０】
次に、図１０を用いてＴｏＤｏリストデータ格納部について説明する。ＴｏＤｏリストデータ格納部１１４は、認識ワード１７１、関係者１７２、タスク１７３、内容１７４、期限１７５および進捗１７６の各データによって構成されている。
【００５１】
ここで認識ワード１７１には、録音した留守番電話の音声を、図４に示す音声認識部１０８で音声認識する際に使用するワードが格納される。「○○」や「××」には、任意の名詞が格納されている。関係者１７２には、発信者とリストに記載された要件を関連付けるための氏名が格納される。タスク１７３には、ユーザが行うべき作業アイテム名を記入する。内容１７４には、タスク１７３の詳細が記入される。期限１７５には、タスク１７３の期限が記入される。進捗１７６にはタスク１７３の進捗状況が記入される。
【００５２】
認識ワード１７１については、タスク１７３として書かれた要件を正確に判定するために、複数のワードの格納が可能とされている。後に説明するようにメール本文にＴｏＤｏリストの情報を追加する場合、その追加する文章にはタスク１７３と内容１７４を使用する。
【００５３】
図１１は、追加ＴｏＤｏリストテンプレートデータ格納部の格納内容の一例を示したものである。追加ＴｏＤｏリストテンプレートデータ格納部１１５に格納する追加ＴｏＤｏリストテンプレートデータ１７９は、メール本文にＴｏＤｏリストの追加を行うためのテンプレートであり、図１０に示したタスク１７３と内容１７４を使用する。追加ＴｏＤｏリストテンプレートデータ１７９が図１１に示す例の場合、たとえば、図１０に示した関係者１７２が「日本花子」の件について一例を示す。この場合には、「○○社への提案資料作成は、８／２０  ９：００には作成完了予定です。」という文章が追加ＴｏＤｏリストテンプレートデータ１７９を基にして作成されることになる。
【００５４】
図１２は、留守番電話データ格納部の格納内容の一例を示したものである。留守番電話データ格納部１１６には、留守番電話として録音した電話についての発信者の電話番号１８１、着信日時１８２および留守番電話の録音内容１８３が格納される。
【００５５】
図１３は、ＴｏＤｏリスト情報フラグデータ格納部の格納するフラグとその状態の一例を示したものである。ＴｏＤｏリスト情報フラグデータ格納部１１７には、ＴｏＤｏリスト情報フラグ１９１が格納されている。ＴｏＤｏリスト情報フラグ１９１は、追記するＴｏＤｏリストの情報があるときにその状態１９２がオンに設定される。このときには、図１１に示す追加ＴｏＤｏリストテンプレートデータ格納部１１５に格納している追加ＴｏＤｏリストテンプレートデータ１７９を用いてメール本文に追加する追加ＴｏＤｏリスト情報の作成が行われる。
【００５６】
ＴｏＤｏリスト情報フラグ１９１の状態１９２がオフのときには、追加ＴｏＤｏリストテンプレートデータ１７９を使用した追加ＴｏＤｏリスト情報の作成は行われない。ＴｏＤｏリスト情報フラグ１９１の状態１９２は、初期的にオフに設定されている。
【００５７】
図１４は、メール情報一時格納部の格納内容の一例を示したものである。メール情報一時格納部１１８には、電子メールを作成するための一時保存データとして、メール送信先情報１９５、メール本文情報１９６および追加ＴｏＤｏリスト情報１９７が格納される。メール送信先情報１９５としては、メールアドレスあるいは電話番号が格納される。追加ＴｏＤｏリスト情報１９７には、図１１で示した追加ＴｏＤｏリストテンプレートデータ１７９を基にして作成した文章が格納される。これらメール情報一時格納部１１８に格納される情報あるいは文章については後に詳しく説明する。
【００５８】
ところで、本実施の形態の移動機端末１００では、ユーザがキー入力部１０７に配置された特定のキーを着信時にこれに自動的に電子メールで応答を開始するためのキーとして割り当てている。このキーを本明細書では自動キーと呼ぶことにする。自動キーで自動応答メールを送信する条件は、次のようなものである。
【００５９】
（１）移動機端末１００に対して、電話が掛かってきたこと。
（２）発信者の電話番号が図８に示す電話帳データ格納部１１２に事前に登録されていること。
【００６０】
図１５は、本実施の形態の移動機端末に着信があった場合の制御の様子を表わしたものである。図４と共に説明する。この制御は、ＣＰＵ１０２がメモリ１０３の不揮発性メモリ領域に格納された制御プログラムを実行することで実現する。
【００６１】
移動機端末１００の制御部１０１は電話が掛かってきてその呼び出しが行われるのを監視している（ステップＳ２０１）。呼び出しが行われる状態になると（Ｙ）、図示しないスピーカから着信音（あるいは着信メロディ）が出力される（ステップＳ２０２）。この状態で制御部１０１は、ユーザが自動キーによる応答を行うか（ステップＳ２０３）、あるいは発信者と通話するために通話キーを押下するか（ステップＳ２０３：Ｎ、ステップＳ２０４）を監視している。ユーザが通話キーを押した場合には（ステップＳ２０４：Ｙ）、発信者との間で音声で会話を行う通常の電話応答処理が行われ（ステップＳ２０５）、これが終わればステップＳ２０１に戻って次の電話の呼び出しに備えることになる（リターン）。
【００６２】
一方、何らかの事情で電話に出ることができない場合、ユーザは着信音が出力されている間に自動応答キーを押下することになる（ステップＳ２０３：Ｙ）。すると、制御部１０１は発信者から発信者番号が通知されているかをチェックする（ステップＳ２０６）。
【００６３】
発信者番号が通知されている場合（ステップＳ２０６：Ｙ）、制御部１０１はこれを抽出して、図９に示す発信者電話番号データ格納部１１３に発信者の電話番号１６１として格納する（ステップＳ２０７）。発信者番号が通知されていない場合には（ステップＳ２０６：Ｎ）、特定できない相手からの電話なので、この時点で処理を終了し、次の電話が来るのを待機する（リターン）。
【００６４】
ステップＳ２０７で発信者番号を発信者電話番号データ格納部１１３に格納したら、制御部１０１は発信者に対して音声メッセージで留守番電話録音を要求する（ステップＳ２０８）。そして図１２の留守番電話データ格納部１１６に留守番電話の録音内容１８３を格納する（ステップＳ２０９）。録音が終了（あるいは中止）されたら（ステップＳ２１０：Ｙ）、制御部１０１はステップＳ２０７で格納した発信者の電話番号をキーとして図８に示す電話帳データ格納部１１２で発信者の名前を検索する（ステップＳ２１１）。
【００６５】
発信者の名前が電話帳データ格納部１１２に登録されておらず検索できなかった場合には（ステップＳ２１２：Ｎ）、その者のメールアドレスが分からず、自動応答メールを送信することができない。そこで、この場合にはそれ以上の処理は行わず、次の電話が来るのを待機することになる（リターン）。
【００６６】
一方、電話帳データ格納部１１２に発信者の電話番号があり、名前や登録されている場合には（ステップＳ２１２：Ｙ）、メールアドレスも登録されている前提なので、これを基にして電子メールを組み立てて送信するメール作成送信処理を実行することになる（ステップＳ２１３）。これについては、次に詳細を説明する。メール作成送信処理を実行したら、制御部１０１は次の電話が来るのを待機することになる（リターン）。
【００６７】
図１６は、図１５で説明したメール作成送信処理の概要を表わしたものである。図４と共に説明する。
【００６８】
メール作成送信処理では、まずＴｏＤｏリストデータ格納部１１４を使用して発信者に関係するＴｏＤｏリストデータがある場合のＴｏＤｏリストデータ取得処理を行う（ステップＳ２３１）。これは、メール本文にＴｏＤｏリストデータの内の必要なものを追加する処理である。
【００６９】
発信者に関係するＴｏＤｏリストデータがない場合には、この処理を省略して次の処理が行われる。ＴｏＤｏリストデータ取得処理の詳細については後に説明する。
【００７０】
ステップＳ２３１のＴｏＤｏリストデータ取得処理が行われたら、次に定型文選択処理が行われる（ステップＳ２３２）。定型文選択処理は、メール本文に使用する定型文の選択を行う。定型文選択処理の詳細については後に説明する。
【００７１】
ステップＳ２３２の定型文選択処理の次にはメール文章作成処理が行われる（ステップＳ２３３）。これについても後に詳しく説明する。メール文章作成処理が行われたら、最後に電子メールを送信して（ステップＳ２３４）、メール作成送信処理を終了する（エンド）。
【００７２】
図１７は、ＴｏＤｏリストデータ取得処理を具体的に表わしたものである。図４、図１０〜図１３および図１６と共に説明する。
【００７３】
図１６のステップＳ２３１に示したＴｏＤｏリストデータ取得処理では、まず最初に制御部１０１がＴｏＤｏリストデータ格納部１１４における関係者１７２の欄に、発信者の名前が存在するかを検索する（ステップＳ２５１）。この結果、発信者と同一の名前が存在しなかった場合には（ステップＳ２５２：Ｎ）、その発信者に伝える要件がないと判断されるので、そのままＴｏＤｏリストデータ取得処理を終了する（エンド）。すなわち、この場合には図１７に示した次の定型文選択処理に進むことになる。
【００７４】
ステップＳ２５２で、関係者１７２欄に発信者と同一の名前が存在した場合には（Ｙ）、これに対応する認識ワード１７１を取得する（ステップＳ２５３）。たとえば発信者が「日本太郎」であった場合、制御部１０１は「ていれいかいぎ」という認識ワード１７１を取得する。
【００７５】
次に制御部１０１は留守番電話データ格納部１１６におけるその発信者の電話番号１８１に対応する留守番電話の録音内容１８３についての音声認識後の文字列を先頭から一区切り分取り出して、ステップＳ２５３で取得した認識ワード１７１が含まれているかのマッチング処理を行う（ステップＳ２５４）。このとき、認識ワード１７１が複数通り登録されている場合には、それぞれのワードについてのマッチング処理を行う。
【００７６】
その一区切り分の音声認識後の文字列に対して認識ワード１７１がマッチングしなかった場合には（ステップＳ２５５：Ｎ）、留守番電話の録音内容１８３のすべてのワードについての処理が終了したかをチェックする（ステップＳ２５６）。この結果、録音内容１８３のすべてのワードについての処理が終了していない状態であると判別した場合（Ｎ）、制御部１０１は処理をステップＳ２５５に戻して次のマッチング処理を行う。
【００７７】
このようにしてマッチング処理が繰り返される結果、ある時点で認識ワード１７１がマッチングしたとする（ステップＳ２５５：Ｙ）。この場合、制御部１０１は、ＴｏＤｏリストデータ格納部１１４におけるその関係者１７２の欄に対応する付加情報を取得する（ステップＳ２５７）。
【００７８】
ここで付加情報とは、ＴｏＤｏリストデータ格納部１１４におけるタスク１７３および内容１７４の欄に格納されている情報である。前記した発信者が「日本太郎」の場合には、タスク１７３として「定例会議」という単語が、また内容１７４として「その他の優先作業のため不参加」という文章を取得することになる。そして、初期的にオフに設定されていたＴｏＤｏリスト情報フラグ１９１の状態１９２をオンに設定する（ステップＳ２５８）。これにより、メール本文にＴｏＤｏリストの追加を行う追加ＴｏＤｏリスト情報の作成が行われる状態となる。
【００７９】
追加ＴｏＤｏリスト情報の作成が行われる状態になったら、追加ＴｏＤｏリストテンプレートデータ格納部１１５に格納している追加ＴｏＤｏリストテンプレートデータ１７９を用いて、追加ＴｏＤｏリスト情報の作成が行われて（ステップＳ２５９）、図１４に示すメール情報一時格納部１１８の追加ＴｏＤｏリスト情報１９７に格納される（ステップＳ２６０）。以上でＴｏＤｏリストデータ取得処理を終了する（エンド）。
【００８０】
追加ＴｏＤｏリスト情報は、前記した発信者が「日本太郎」の場合で追加ＴｏＤｏリストテンプレートデータ１７９が図１１に示す例の場合、「定例会議は、その他の優先作業のため不参加です。」となる。
【００８１】
ステップＳ２５２で関係者１７２欄に発信者と同一の名前が存在しなかった場合には（Ｎ）、以上説明した追加ＴｏＤｏリスト情報に関する処理が行われることなくＴｏＤｏリストデータ取得処理が終了し（エンド）、図１６のステップＳ２３２で示した定型文選択処理に進むことになる。
【００８２】
また、ステップＳ２５６で録音内容１８３のすべてのワードについての処理が終了するまで認識ワード１７１がマッチングしなかった場合にも、追加ＴｏＤｏリスト情報に関する処理が行われることなくＴｏＤｏリストデータ取得処理が終了し（エンド）、図１６のステップＳ２３２で示した定型文選択処理に進む。これは、発信者から指摘されていない事項については追加ＴｏＤｏリスト情報を開示しない趣旨である。
【００８３】
なお、ステップＳ２５８として示したＴｏＤｏリスト情報フラグ１９１の状態１９２をオンに設定する処理は、ステップＳ２６０で説明したメール情報一時格納部１１８への格納処理の終了後に行ってもよいことはもちろんである。
【００８４】
図１８は、図１６で示した定型文選択処理を具体的に表わしたものである。図４、図８と共に説明する。
【００８５】
まず制御部１０１は電話帳データ格納部１１２を用いて、発信者の電話番号１５２から対応するメールアドレス１５３を取得する（ステップＳ２７１）。次に、同じく発信者の電話番号１５２からグループ情報１５５を取得する（ステップＳ２７２）。
【００８６】
グループ情報１５５は、「ビジネス」あるいは「プライベート」と設定している場合もあるが、いずれにも設定していない場合もある。そこで、制御部１０１はグループ情報１５５として「ビジネス」あるいは「プライベート」を取得したかをチェックする（ステップＳ２７３）。これらのいずれかを取得した場合には（Ｙ）、それに応じた定型文を選択する必要がある。そこで、制御部１０１は取得したグループ情報１５５が「プライベート」であるかをチェックする（ステップＳ２７４）。
【００８７】
この結果、グループ情報１５５が「プライベート」であると判断した場合（Ｙ）、制御部１０１はプライベート用定型文を選択する（ステップＳ２７５）。すなわち、図６に示したプライベート用の定型文データを格納した部分１１１Ｂの使用を選択することになる。以上のようにして定型文選択処理が終了する（エンド）。
【００８８】
一方、ステップＳ２７４で「プライベート」でなく「ビジネス」であると判断した場合（Ｎ）、制御部１０１はビジネス用定型文を選択する（ステップＳ２７６）。すなわち、図５に示したビジネス用の定型文データを格納した部分１１１Ａの使用を選択することになる。以上のようにして定型文選択処理が終了する（エンド）。
【００８９】
以上と異なり、「ビジネス」あるいは「プライベート」と設定されたグループ情報１５５の取得ができなかった場合（ステップＳ２７３：Ｎ）、制御部１０１は図７に示したその他用の定型文データを格納した部分１１１Ｃの使用を選択することになる（ステップＳ２７７）。以上のようにして定型文選択処理が終了する（エンド）。
【００９０】
図１９は、図１６で示したメール文章作成処理を具体的に表わしたものである。図４と共に説明する。
【００９１】
このメール文章作成処理では、制御部１０１が移動機端末１００のキー入力部１０７のキー操作でユーザの選択する文章と、図１７で説明したＴｏＤｏリストデータ取得処理で取得したＴｏＤｏリストデータと、図１８で説明した定型文選択処理で選択した定型文を用いて文章の作成を行う。
【００９２】
まず、制御部１０１は図１４に示したメール情報一時格納部１１８に、メール送信先情報１９５としてのメールアドレスと電話番号を格納する（ステップＳ２９１）。電話帳データ格納部１１２を検索することで、発信者の電話番号１５２と、これに対応するメールアドレス１５３を取得可能である。
【００９３】
この状態で制御部１０１はキー入力部１０７の図示しない応答パターン登録キーが押下されるのを待機する（ステップＳ２９２）。本実施の形態では、図５〜図７に示す定型文データ格納部１１１の「応答パターン登録キー」の欄１３５を見ると分かるように、「＊」、「＃」および「０」の３種類のキーが登録されている。
【００９４】
ユーザが「＊」、「＃」および「０」の３種類のキーのいずれかを押下したとする（ステップＳ２９２（Ｙ）。すると、制御部１０１はグループ情報１５５が「ビジネス」、「プライベート」、「その他」のいずれに設定されているかに応じて、「応答パターン用事前用意文」の欄１３６から対応する応答パターン用事前用意文を選択して図１４に示すメール本文情報１９６の欄にこれを格納する（ステップＳ２９３）。
【００９５】
「応答パターン用事前用意文」の欄１３６の文章には、［＊１］および［＊２］で示される挿入文が含まれる場合と、そうでない場合がある。そこで、制御部１０１は「応答パターン用事前用意文」の欄１３６の文章に挿入文が存在するかをチェックする（ステップＳ２９４）。
【００９６】
挿入文が存在する場合には（ステップＳ２９４：Ｙ）、［＊］についての選択用登録キーがキー入力部１０７から入力されるを待機する（ステップＳ２９５）。本実施の形態では「［＊］選択用登録キー」の欄１３７に示される「上キー」、「右キー」および「左キー」が選択用登録キーとなる。
【００９７】
ユーザが「上キー」、「右キー」あるいは「左キー」のいずれか１つを押下すると（ステップＳ２９５：Ｙ）、制御部１０１は押下された選択用登録キーに対応する「［＊１］用選択文」の欄１３８から選択文章を読み出して、「応答パターン用事前用意文」の欄１３６の文章における［＊１］の箇所に挿入する（ステップＳ２９６）。
【００９８】
たとえば「電気次郎」が発信者の場合には、図８よりグループ情報１５５が「プライベート」となるので、「上キー」が押された場合には「［＊１］用選択文」の欄１３８から「外出中だから電話に出れない」という文章が「応答パターン用事前用意文」の欄１３６における［＊１］の箇所に挿入される。また、「日本花子」が発信者の場合には、図８よりグループ情報１５５が「ビジネス」となるので、同じく「上キー」が押された場合には「［＊１］用選択文」の欄１３８から「外出しており、電話に応答することができません」という文章が「応答パターン用事前用意文」の欄１３６における［＊１］の箇所に挿入されることになる。
【００９９】
この後、制御部１０１はユーザが「上キー」、「右キー」あるいは「左キー」のいずれか１つを押下するのを再度、待機する（ステップＳ２９７）。これは、ユーザが「［＊１］用選択文」の欄１３８と「［＊２］用選択文」の欄１４０のそれぞれで「上キー」、「右キー」および「左キー」を使い分けることで、自由に文章の内容を組み立てることができるようになっているからである。
【０１００】
なお、移動機端末１００の構成によっては選択用登録キーの押下とキー入力部１０７の一部を構成する訂正キー（図示せず）の押下を時間的に並列してチェックするようにしてもよい。そして、ユーザがステップＳ２９７によって選択用登録キーを押下する前に訂正キーを押した場合には、ステップＳ２９５の処理に戻し、再度、［＊１］の箇所に挿入する文章の選択操作に戻るようにしてもよい。これにより、ユーザの選択用登録キーの押下のミスがあった場合に、これを訂正することができる。
【０１０１】
ところで、ステップＳ２９７で「［＊］選択用登録キー」の欄１３７に示す選択用登録キーの２回目の押下処理が行われたら（Ｙ）、制御部１０１は押下された選択用登録キーに対応する「［＊２］用選択文」の欄１４０から選択文章を読み出す。そして、この読み出した選択文章を「応答パターン用事前用意文」の欄１３６の文章における［＊２］の箇所に挿入する（ステップＳ２９８）。このようにして「応答パターン用事前用意文」の欄１３６における［＊１］と［＊２］の箇所の文章の挿入が完成する。この後、次のステップＳ２９９に処理を進める。
【０１０２】
ステップＳ２９９では、以上のようにしてメール情報一時格納部１１８内で編集されたメール本文情報１９６を、送信しようとするメール本文へ書き込む。ステップＳ２９４で挿入文がないと判別した場合には（Ｎ）、その段階でメール情報一時格納部１１８のメール本文情報１９６に一時的に格納されているメール本文情報１９６を、送信しようとするメール本文へ書き込むことになる。
【０１０３】
次に制御部１０１は、図１３に示したＴｏＤｏリスト情報フラグ１９１の状態１９２がオンになっているかを判別する（ステップＳ３００）。オンになっていない場合には（Ｎ）、追記するＴｏＤｏリストの情報がなく、図１１に示した追加ＴｏＤｏリストテンプレートデータ１７９を使用した文章作成は行われない。したがって、この場合にはメール文章作成処理がすべて終了することになり（エンド）、図１６のステップＳ２３４として示したように発信者に対して電子メールの送信が行われることになる。
【０１０４】
一方、ステップＳ３００でＴｏＤｏリスト情報フラグ１９１の状態１９２がオンであると判別した場合（Ｙ）、制御部１０１は、図１４の追加ＴｏＤｏリスト情報１９７に書き込まれた情報をメールの本文へ追記する（ステップＳ３０１）。そして、メール文章作成処理を終了させる（エンド）。その後は、図１６のステップＳ２３４として示したように発信者に対して電子メールの送信が行われることになる。
【０１０５】
図２０は、送信される電子メールが組み立てられる様子を表わしたものである。ここで同図（Ａ）はビジネス用の返答文を示し、同図（Ｂ）はプライベート用の返答文を示す。
【０１０６】
同図（Ａ）に示すビジネス用の返答文では、発信人の「日本花子」に対して「電気太郎」が返答文を出す例を採り上げている。電子メールの本文の欄４０１Ａには、図１４に示したメール本文情報１９６が書き込まれる。この例の場合には、図５の「応答パターン登録キー」の欄１３５における「＊」キーがユーザによって選択され、これに対応する「応答パターン用事前用意文」の欄１３６の文章が本文４０２Ａとして書き込まれる。「［＊１］用選択文」の欄１３８および「［＊２］用選択文」の欄１４０については、「左キー」が選択されている。
【０１０７】
メール本文では、追加ＴｏＤｏリスト情報４０３Ａが存在する場合、これを本文４０２Ａにおける結語に相当する「以上、宜しくお願いいたします。」という語句の直前に挿入する形態を採っている。同図（Ａ）の場合、追加ＴｏＤｏリスト情報４０３Ａが存在する。この追加ＴｏＤｏリスト情報４０３Ａは、図１０の関係者１７２が「日本花子」の場合のものである。これは、タスク１７３および内容１７４についての対応する欄の語句が図１１に示す追加ＴｏＤｏリストテンプレートデータ１７９を用いて作成され、図１４の追加ＴｏＤｏリスト情報１９７として格納されていたものである。
【０１０８】
一方、同図（Ｂ）に示すプライベート用の返答文では、発信人の「電気次郎」に対して返答文を出す例を採り上げている。電子メールの本文の欄４０１Ｂには、図１４に示したメール本文情報１９６が書き込まれる。この例の場合には、図６の「応答パターン登録キー」の欄１３５における「＊」キーがユーザによって選択され、これに対応する「応答パターン用事前用意文」の欄１３６の文章が本文４０２Ｂとして書き込まれる。「［＊１］用選択文」の欄１３８および「［＊２］用選択文」の欄１４０については、「左キー」が選択されている。
【０１０９】
このプライベート用の返答文では、同図（Ａ）の「以上、宜しくお願いいたします。」に相当する結語が本文４０２Ｂに存在していない。このため、追加ＴｏＤｏリスト情報４０３Ｂが存在する場合、本文４０２に単純に続く文章として追加ＴｏＤｏリスト情報４０３Ｂが追加されることになる。
【０１１０】
同図（Ｂ）の場合、追加ＴｏＤｏリスト情報４０３Ｂが存在する。この追加ＴｏＤｏリスト情報４０３Ｂは、図１０の関係者１７２が「電気次郎」および「鈴木次郎」の場合のものである。これは、タスク１７３および内容１７４についての対応する欄の語句が図１１に示す追加ＴｏＤｏリストテンプレートデータ１７９を用いて作成され、図１４の追加ＴｏＤｏリスト情報１９７として格納されていたものである。
【０１１１】
図２１は、図２０に示した処理によって作成された電子メールの返答文を示したものである。同図（Ａ）はビジネス用の電子メールの返答文４１１Ａを示しており、同図（Ｂ）はプライベート用の返答文４１１Ｂを示している。サブジェクト（Subject）の箇所は、ここでは空欄のままにしているが、「先程のお電話について」というような適当な語句を予め用意しておき、これを自動的に書き込むようにしてもよい。
【０１１２】
以上詳細に説明したように本実施の形態によれば、自動で音声受信した電話の録音内容および事前登録した発信者のメールアドレスを用いて、ユーザが簡単な操作で発信者との関係を考慮した返答を電子メールで行うことができる。しかも録音内容に関してユーザが処理すべき事項が存在するときは、これについての返答も簡単な操作で電子メールの本文に追加することができる。したがって、電話を掛けた発信者は必要な情報を電子メールの返答によって得ることができる場合が多く、ユーザに対して再度電話を掛けたり電子メールを送信するという無駄な処理を軽減することができる。
【０１１３】
特に本実施の形態では予め定型文を用意し、キー押下にて定型文を組み合わせることで文章を作成するようにした。このため、メール本文作成時に、文章を全文入力する必要がない。また、発信者がビジネスの関係者なのか、プライベートなのかを電話番号から自動で判断して、これらに対応した定型文を選択することにしたので、忙しいとき等に文体を気にすることなく文章の作成が可能である。
【０１１４】
更に本実施の形態では、予め登録したＴｏＤｏリストから発信者に関係のある内容を選択し、メール本文にこれを追加することができるので、最新の情報を必要な相手に送信することができる。
【０１１５】
＜発明の変形可能性＞
【０１１６】
以上、ユーザが電話を受信した場合の電子メールの返答について説明したが、これに限るものではない。たとえば電子メールを受信したユーザが電子メールで簡単に返答を行う場合にも本発明を同様に適用することができる。この場合には、図４に示した音声認識部１０８の代りに、送られてきた電子メールからメッセージ本文の必要なテキスト情報を抽出したり、絵文字等の特殊な文字を判別する機能部分を備えるようにすればよい。また、ユーザが電話を受信し、組み立てた文章のテキストに基づいて電話で音声の自動返答を行うことも、本発明で同様に可能である。
【０１１７】
更に実施の形態では「ビジネス」、「プライベート」、「その他」に分けて電子メールの返答を行うようにしたが、これに限るものではない。たとえば「その他」を更に細分したり、「プライベート」についても発信者の性別、年齢に応じた区分けを更に行うようにしてもよい。
【０１１８】
また、本発明では予定情報を記録した手段としてＴｏＤｏリストを使用したが、これに限るものではない。たとえば本人のスケジュール表等の予定情報の内容からそれが他人と関係するものであるかが判別可能な場合、その他人が電話または電子メールで通信してきたときに、その返答として予定情報を使用することは本発明の範囲内である。
【０１１９】
以上説明した実施の形態の一部または全部は、以下の付記のようにも記載されるが、以下の記載に限定されるものではない。
【０１２０】
（付記１）
発信者から受信者宛の通信情報を受信する受信手段と、
この受信手段の受信した前記通信情報から発信者を特定する発信者特定手段と、
前記発信者ごとにそれらの宛先を表わす宛先情報を格納する発信者宛先情報格納手段と、
前記受信者が他人と関係する予定を表わした予定情報をそれぞれ記録した予定情報記録手段と、
前記発信者特定手段の特定した発信者が前記予定情報記録手段に記載されている他人のいずれかと一致するかを判別する発信者一致有無判別手段と、
この発信者一致有無判別手段が他人のいずれかと一致したと判別したときその一致した他人に関係する予定情報を抽出する予定情報抽出手段と、
前記一致した他人としての発信者についての宛先情報を前記発信者宛先情報格納手段で検索する発信者宛先情報検索手段と、
この発信者宛先情報検索手段で検索した宛先情報を用いて前記予定情報抽出手段で抽出した予定情報を前記一致した他人としての発信者に返答する予定情報送信手段
とを具備することを特徴とする通信装置。
【０１２１】
（付記２）
前記予定情報記録手段は予定情報に対応するキーワードとしての認識ワードを予定情報ごとに定めており、前記受信手段の受信した前記通信情報から前記認識ワードのいずれかを抽出したときのみ前記予定情報抽出手段は該当する予定情報を抽出することを特徴とする付記１記載の通信装置。
【０１２２】
（付記３）
前記予定情報記録手段は前記受信者が現在するべきことをリストとして示したＴｏＤｏリストであることを特徴とする付記１記載の通信装置。
【０１２３】
（付記４）
前記予定情報記録手段は前記受信者が他人と関係する予定を示す予定表であることを特徴とする付記１記載の通信装置。
【０１２４】
（付記５）
前記発信者から受信者宛の通信情報は電話による音声情報であり、この音声情報をテキスト情報に変換する音声認識手段を更に具備することを特徴とする付記１記載の通信装置。
【０１２５】
（付記６）
前記発信者から受信者宛の通信情報はテキスト情報であることを特徴とする付記１記載の通信装置。
【０１２６】
（付記７）
前記宛先情報は発信者のメールアドレスであり、前記予定情報送信手段は前記予定抽出手段で抽出した予定情報を電子メールで発信者に返答することを特徴とする付記５または付記６記載の通信装置。
【０１２７】
（付記８）
前記宛先情報は発信者の電話番号であり、前記予定情報送信手段は前記予定抽出手段で抽出した予定情報を音声メッセージで発信者に返答することを特徴とする付記５記載の通信装置。
【０１２８】
（付記９）
前記予定情報送信手段は、前記予定抽出手段で抽出した予定情報を本来送信する本文情報に追加する追加情報として送信することを特徴とする付記１記載の通信装置。
【０１２９】
（付記１０）
前記受信手段が通信情報を受信する可能性のある発信者を複数のグループのいずれかに分類して登録するグループ化登録手段と、
前記本文情報を構成する文章を前記グループごとに予め用意したグループ別文章格納手段と、
前記受信手段の受信した発信者が前記グループ化登録手段の登録したいずれのグループに該当するかを判別するグループ判別手段と、
このグループ判別手段で判別したグループの文章を前記グループ別文章格納手段から選択して前記本文情報を構成する本文情報構成手段
とを具備することを特徴とする付記９記載の通信装置。
【０１３０】
（付記１１）
前記複数のグループは、前記発信者と前記受信者がビジネスでの関係となるビジネスグループと、プライベートでの関係となるプライベートグループと、これら以外の関係となるその他のグループで構成されていることを特徴とする付記９記載の通信装置。
【０１３１】
（付記１２）
前記本文情報の少なくとも一部は、任意数の文章挿入箇所を備えたテンプレートで構成されており、前記文章挿入箇所にそれぞれ挿入する候補となる文章を予め複数通り格納した候補文章格納手段と、この候補文章格納手段から所望の候補文章をそれぞれに割り当てられたキーで選択して対応する文章挿入箇所に挿入するキー選択手段を更に具備することを特徴とする付記９記載の通信装置。
【０１３２】
（付記１３）
発信者から受信者宛の通信情報を受信する受信ステップと、
この受信ステップで受信した前記通信情報から発信者を特定する発信者特定ステップと、
前記受信者が他人と関係する予定を表わした予定情報をそれぞれ記録した予定情報記録部を使用して前記発信者特定ステップで特定した発信者が前記他人のいずれかと一致するかを判別する発信者一致有無判別ステップと、
この発信者一致有無判別ステップで前記他人のいずれかと一致したと判別したときその一致した他人に関係する予定情報を抽出する予定情報抽出ステップと、
前記発信者ごとにそれらの宛先を表わす宛先情報を格納する発信者宛先情報格納部を使用して、前記一致した他人としての発信者についての前記宛先情報を検索する発信者宛先情報検索ステップと、
この発信者宛先情報検索ステップで検索した前記宛先情報を用いて前記予定情報抽出ステップで抽出した予定情報を前記一致した他人としての発信者に返答する予定情報送信ステップ
とを具備することを特徴とする通信方法。
【０１３３】
（付記１４）
前記予定情報記録部は予定情報に対応するキーワードとしての認識ワードを予定情報ごとに定めており、前記受信ステップで受信した前記通信情報から前記認識ワードのいずれかを抽出したときのみ前記予定情報抽出ステップで該当する予定情報を抽出することを特徴とする付記１３記載の通信方法。
【０１３４】
（付記１５）
前記予定情報送信ステップでは、前記予定抽出ステップで抽出した予定情報を本来送信する本文情報に追加する追加情報として送信することを特徴とする付記１３記載の通信方法。
【０１３５】
（付記１６）
前記受信ステップで通信情報を受信する可能性のある発信者を複数のグループのいずれかに分類して登録するグループ化登録部を使用して前記受信手段の受信した発信者がいずれのグループに該当するかを判別するグループ判別ステップと、
前記本文情報を構成する文章を前記グループごとに予め用意したグループ別文章格納部を使用して、前記グループ判別ステップで判別したグループの文章選択して前記本文情報を構成する本文情報構成ステップ
とを更に具備することを特徴とする付記１５記載の通信方法。
【０１３６】
（付記１７）
コンピュータに、
発信者から受信者宛の通信情報を受信する受信処理と、
この受信処理で受信した前記通信情報から発信者を特定する発信者特定処理と、
前記受信者が他人と関係する予定を表わした予定情報をそれぞれ記録した予定情報記録部を使用して前記発信者特定処理で特定した発信者が前記他人のいずれかと一致するかを判別する発信者一致有無判別処理と、
この発信者一致有無判別処理で前記他人のいずれかと一致したと判別したときその一致した他人に関係する予定情報を抽出する予定情報抽出処理と、
前記発信者ごとにそれらの宛先を表わす宛先情報を格納する発信者宛先情報格納部を使用して、前記一致した他人としての発信者についての前記宛先情報を検索する発信者宛先情報検索処理と、
この発信者宛先情報検索処理で検索した前記宛先情報を用いて前記予定情報抽出処理で抽出した予定情報を前記一致した他人としての発信者に返答する予定情報送信処理
とを実行させることを特徴とする通信プログラム。
【０１３７】
（付記１８）
前記予定情報記録部は予定情報に対応するキーワードとしての認識ワードを予定情報ごとに定めており、前記受信処理で受信した前記通信情報から前記認識ワードのいずれかを抽出したときのみ前記予定情報抽出処理で該当する予定情報を抽出することを前記コンピュータに更に実行させることを特徴とする付記１７記載の通信プログラム。
【０１３８】
（付記１９）
前記予定情報送信処理では、前記予定抽出処理で抽出した予定情報を本来送信する本文情報に追加する追加情報として送信することを特徴とする付記１７記載の通信プログラム。
【０１３９】
（付記２０）
前記受信処理で通信情報を受信する可能性のある発信者を複数のグループのいずれかに分類して登録するグループ化登録部を使用して前記受信手段の受信した発信者がいずれのグループに該当するかを判別するグループ判別処理と、
前記本文情報を構成する文章を前記グループごとに予め用意したグループ別文章格納部を使用して、前記グループ判別処理で判別したグループの文章選択して前記本文情報を構成する本文情報構成処理
とを前記コンピュータに更に実行させることを特徴とする付記１９記載の通信プログラム。
【符号の説明】
【０１４０】
１０  通信装置
１１  受信手段
１２  発信者特定手段
１３  発信者宛先情報格納手段
１４  予定情報記録手段
１５  発信者一致有無判別手段
１６  予定情報抽出手段
１７  発信者宛先情報検索手段
１８  予定情報送信手段
２０  通信方法
２１  受信ステップ
２２  発信者特定ステップ
２３  発信者一致有無判別ステップ
２４  予定情報抽出ステップ
２５  発信者宛先情報検索ステップ
２６  予定情報送信ステップ
３０  通信プログラム
３１  受信処理
３２  発信者特定処理
３３  発信者一致有無判別処理
３４  予定情報抽出処理
３５  発信者宛先情報検索処理
３６  予定情報送信処理
１００  移動機端末
１０１  制御部
１０２  ＣＰＵ
１０３  メモリ
１０５  無線部
１０７  キー入力部
１０８  音声認識部
１１０  データ格納部
１１１  定型文データ格納部
１１２  電話帳データ格納部
１１３  発信者電話番号データ格納部
１１４  データ格納部
１１５  追加ＴｏＤｏリストテンプレートデータ格納部
１１６  留守番電話データ格納部
１１７  ＴｏＤｏリスト情報フラグデータ格納部
１１８  メール情報一時格納部
１３１  「グループ情報」の欄
１３５  「応答パターン登録キー」の欄
１３６  「応答パターン用事前用意文」の欄
１３７  「［＊］選択用登録キー」の欄
１３８  「［＊１］用選択文」の欄
１４０  「［＊２］用選択文」の欄
１７１  認識ワード
１７２  関係者
１７３  タスク
１７４  内容
１７９  追加ＴｏＤｏリストテンプレートデータ
１９１  ＴｏＤｏリスト情報フラグ
１９５  メール送信先情報
１９６  メール本文情報
１９７  追加ＴｏＤｏリスト情報
４１１Ａ  ビジネス用の電子メールの返答文
４１１Ｂ  プライベート用の返答文
【図１】
2013165450.tif 000003
【図２】
2013165450.tif 000004
【図３】
2013165450.tif 000005
【図４】
2013165450.tif 000006
【図５】
2013165450.tif 000007
【図６】
2013165450.tif 000008
【図７】
2013165450.tif 000009
【図８】
2013165450.tif 000010
【図９】
2013165450.tif 000011
【図１０】
2013165450.tif 000012
【図１１】
2013165450.tif 000013
【図１２】
2013165450.tif 000014
【図１３】
2013165450.tif 000015
【図１４】
2013165450.tif 000016
【図１５】
2013165450.tif 000017
【図１６】
2013165450.tif 000018
【図１７】
2013165450.tif 000019
【図１８】
2013165450.tif 000020
【図１９】
2013165450.tif 000021
【図２０】
2013165450.tif 000022
【図２１】
2013165450.tif 000023
【図２２】
2013165450.tif 000024
【図２３】
2013165450.tif 000025